(57)【要約】      （修正有）【課題】プライバシー及び著作権の保護が容易な記録装置を実現する。【解決手段】画像信号処理部１０１は、入力ビデオ信号に公知の画像処理を施す。符号化復号化部１０２は、画像信号処理部１０１からの画像信号を符号化し、符号化画像信号を記録再生制御部１０３と暗号化復号化部１０５に供給する。記録再生制御部１０３は、入力された符号化画像信号を記録媒体１０４に記録する。記録再生制御部１０３はまた、記録媒体１０４に記録されている固有情報であるユニークＩＤ（ＵＩＤ）を記録媒体１０４から取得し、そのＵＩＤを暗号化復号化部１０５に出力する。暗号化復号化部１０５は、記録媒体１０４のＵＩＤを暗号化の鍵情報として、符号化復号化部１０２からの符号化画像信号を暗号化する。記録再生制御部１０６は、暗号化符号化された画像データを記録媒体１０７に記録する。【選択図】図１
2006040417.tif 000002
【特許請求の範囲】
【請求項１】
第１及び第２の記録媒体に情報データを記録可能な記録装置であって、
前記第１の記録媒体の固有情報を検出する検出手段と、
前記固有情報を用いて前記情報データを暗号化する暗号化手段と、
前記暗号化手段により暗号化された情報データを前記第２の記録媒体に記録する記録手段
とを具備することを特徴とする記録装置。
【請求項２】
前記固有情報は、前記第1の記録媒体に記録された記録データ及びユニークＩＤの何れかであることを特徴とする請求項１に記載の記録装置。
【請求項３】
前記第２の記録媒体に記録される全コンテンツが暗号化されていることを特徴とする請求項１に記載の記録装置。
【請求項４】
更に、前記情報データを前記第２記録媒体に記録する前に、前記暗号化手段による暗号化の要否を指定する指定手段を具備することを特徴とする請求項１に記載の記録装置。
【請求項５】
前記情報データは画像データを含み、前記暗号化手段は、階層符号化方式で符号化された前記画像データの低域データを暗号化することを特徴とする請求項１に記載の記録装置。
【請求項６】
更に、
前記第２の記録媒体から前記情報データを再生する再生手段と、
前記再生手段により再生された暗号化された情報データを前記固有情報に従って復号処理する復号手段
とを具備することを特徴とする請求項１に記載の記録装置。
【請求項７】
第１及び第２の記録媒体に情報データを記録可能な記録装置であって、
情報データを入力する入力手段と、
前記第１の記録媒体の固有情報と前記第２の記録媒体の固有情報とを検出する検出手段と、
前記第１の記録媒体の固有情報を用いて前記入力手段により入力された情報データを暗号化する第１の暗号化手段と、
前記第２の記録媒体の固有情報を用いて前記入力手段により入力された情報データを暗号化する第２の暗号化手段と、
前記第２の暗号化手段により暗号化された情報データを前記第１の記録媒体に記録する第１の記録手段と、
前記第１の暗号化手段により暗号化された情報データを前記第２の記録媒体に記録する第２の記録手段とを備えることを特徴とする記録装置。
【請求項８】
前記情報データは画像データを含み、前記入力手段は前記画像データを低周波数成分と高周波数成分とに分離する分離手段を有し、前記第１の暗号化手段は前記低周波数成分を暗号化し、前記第２の暗号化手段は前記高周波数成分を暗号化することを特徴とする請求項７に記載の記録装置。
【発明の詳細な説明】
【技術分野】
【０００１】
本発明は、複数の情報媒体を利用可能な記録装置に関する。
【背景技術】
【０００２】
近年、画像や音声などをメモリカードなどの記録媒体にデジタルデータとして記録する構成が主流となり、そのデジタル画像や音声データを記録した記録媒体を手軽に活用できるようになった。また、デジタルデータは、コピーが容易であり、コピーによる劣化がほとんど無いことから、記録データの著作権保護及びプライバシー保護等が必要となってきている。
【０００３】
これらの保護手法として、記録媒体内にデータを暗号化・復号化するための鍵情報を記録し、その鍵情報がないと記録コンテンツ等を再生できない構成が提案されている（例えば、特許文献１参照）。具体的には、記録媒体のシステム管理領域に鍵情報を記録しておき、未対応の装置では記録コンテンツ等を再生しようとしても暗号化されたデータしか読み取れず、実質的に再生不能となるものである。また、この暗号化されたコンテンツデータをコピーしたとしても、鍵情報が得られないので、再生できない。
【０００４】
再生可能な装置を特定する技術も重要であり、例えば、装置固有の情報を鍵情報として用いることで、特定の装置だけに再生を許可する技術も提案されている（例えば、特許文献２参照）。
【０００５】
デジタルビデオカメラ等では、複数の記録媒体を有する構成も提案されている。
【特許文献１】特開２０００−２９８９４２号公報
【特許文献２】特開２００２−２６０３２６号公報
【発明の開示】
【発明が解決しようとする課題】
【０００６】
従来の保護手法では、複数の記録媒体を用いて記録再生する場合で、その記録データの保護をしようとすると、各記録媒体に別々に保護手段を設定しなければならず、利用者にとっては非常に不便であった。また、機器が記録媒体をテンポラリーな記録媒体として利用している場合、その記録内容を利用者は知ることもなく、プライバシー及び著作権の観点から問題となることがある。
【０００７】
本発明は、このような不都合を解消する記録装置を提示することを目的とする。
【課題を解決するための手段】
【０００８】
本発明に係る記録装置は、第１及び第２の記録媒体に情報データを記録可能な記録装置であって、第１の記録媒体の固有情報を検出する検出手段と、前記固有情報を用いて前記情報データを暗号化する暗号化手段と、前記暗号化手段により暗号化された情報データを前記第２の記録媒体に記録する記録手段とを具備することを特徴とする。
【０００９】
本発明に係る記録装置は，第１及び第２の記録媒体に情報データを記録可能な記録装置であって、情報データを入力する入力手段と、前記第１の記録媒体の固有情報と前記第２の記録媒体の固有情報とを検出する検出手段と、前記第１の記録媒体の固有情報を用いて前記入力手段により入力された情報データを暗号化する第１の暗号化手段と、前記第２の記録媒体の固有情報を用いて前記入力手段により入力された情報データを暗号化する第２の暗号化手段と、前記第２の暗号化手段により暗号化された情報データを前記第１の記録媒体に記録する第１の記録手段と、前記第１の暗号化手段により暗号化された情報データを前記第２の記録媒体に記録する第２の記録手段とを備えることを特徴とする。
【発明の効果】
【００１０】
本発明によれば、複数の記録媒体を用いる装置においてその記録内容の著作権やプライバシー保護が容易に実現可能となり、効率よい装置構成及び使用方法が容易に実現可能となる。
【発明を実施するための最良の形態】
【００１１】
以下、図面を参照して、本発明の実施例を詳細に説明する。
【実施例１】
【００１２】
図１は、本発明の第１実施例の概略構成ブロック図を示す。１０１は画像信号処理部、１０２は符号化復号化部（コーデック）、１０３は第１の記録再生制御部、１０４は第１の記録媒体、１０５は暗号化復号化部、１０６は第２の記録再生制御部、１０７は第２の記録媒体である。
【００１３】
図２は、暗号化復号化部１０５の概略構成ブロック図を示す。先に、暗号化復号化部１０５の動作の詳細を説明する。２０１，２０３はスイッチ、２０２は暗号化部、２０４は復号化部である。記録時、スイッチ２０１，２０３はａ端子に接続し、図２の左から右に信号が流れる。即ち符号化復号化部１０２からの符号化画像信号は、スイッチ２０１を介して暗号化部２０２に入力し、ここで暗号化処理されて、スイッチ２０３を介して出力される。この時の暗号化処理には、個別情報であるＵＩＤを鍵情報として既知である暗号化方式が使用される。
【００１４】
再生時には、スイッチ２０１，２０３はｂ端子に接続し、図２の右から左に信号が流れる。記録再生制御部１０６からの再生データは、スイッチ２０３を介して復号化器２０４に入力し、ここで復号化、即ち解読され、スイッチ２０１を介して出力される。この時、暗号化されたデータは、個別情報であるＵＩＤを鍵情報として解読される。
【００１５】
図１に示す実施例の記録時の動作を説明する。画像信号処理部１０１は、入力ビデオ信号に色補正及びノイズフィルタ処理等の既知の画像処理を施し、処理結果である画像信号を符号化復号化部１０２に入力する。この時、符号化復号化部１０２は、符号化器として動作し、入力画像信号を符号化し、符号化画像信号を記録再生制御部１０３と暗号化復号化部１０５に供給する。記録再生制御部１０３は、入力された符号化画像信号を記録媒体１０４に記録するための既知の記録処理を施し、記録媒体１０４に記録する。これにより、入力ビデオ信号が、記録媒体１０４に記録される。
【００１６】
記録再生制御部１０３はまた、記録媒体１０４に記録されている固有情報であるユニークＩＤ（以下、ＵＩＤと略す）を記録媒体１０４から取得し、その固有情報ＵＩＤを暗号化復号処理部１０５に出力する。暗号化復号化部１０５は、符号化復号化部１０２からの符号化画像信号を、記録媒体１０４の固有情報であるＵＩＤを暗号化の鍵情報として暗号化する。このように暗号化された符号化画像信号が、記録再生制御部１０６に入力する。記録再生制御部１０６は、入力された符号化データに記録媒体１０７に記録するための公知の処理を施し、記録媒体１０７に記録する。これにより、入力ビデオ信号は、暗号化されて、記録媒体１０７に記録される。
【００１７】
次に、再生時の動作を順に説明する。再生時には、記録時と逆の動作になる。記録媒体１０４に記録されているデータ（符号化画像データ）は、記録再生制御部１０３により再生されて、符号化復号化器１０２に入力される。符号化復号化器１０２は再生時には復号化器として動作し、記録再生制御部１０３からの符号化画像データを復号化して画像データを復元し、画像信号処理部１０１に印加する。画像信号処理部１０１は、再生された画像データに公知の画像信号処理を施す。
【００１８】
記録再生制御部１０３は別に、記録媒体１０４からＵＩＤを読み取り、暗号化復号化部１０５に出力する。記録媒体１０７に記録されているデータ（暗号化及び符号化された画像データ）は記録再生制御部１０６により再生されて、暗号化復号化部１０５に出力される。暗号化復号化部１０５は、再生時には復号化器として動作し、暗号化されている符号化画像データを記録再生制御部１０３からのＵＩＤを鍵情報として復号し、得られた符号化画像データを符号化復号化器１０２に印加する。以下、同様の処理により、画像データが再生出力される。
【００１９】
図３を参照して、機器の使用状況を説明する。図３は、二つの記録媒体を用いた場合のタイムマシン記録方法の模式図を示す。横軸は時間を示す。
【００２０】
記録媒体１（記録媒体１０４）には、使用者が記録しようと操作した画像が記録される。図３では、画像３０１，３０２が、操作により記録された画像である。記録媒体２（記録媒体１０７）には、装置のシステムが自動的にタイムマシン記録を実現するために記録媒体１に記録していない時間分を含む画像３０３，３０４が記録される。
【００２１】
ここで、使用者が、開始点３０５の時点から記録したかったが、間に合わずに画像３０１を記録した場合に、記録開始点３０５を開始点として画像３０７を編集し作成することで、タイムマシン記録が実現できる。同様に、開始点３０６についても、同様な処理により、使用者が希望する画像３０８が得られる。開始点は、記録媒体１への記録動作の所定時間前に自動設定されても良く、また使用者が設定しても良い。編集終了後は、記録媒体２の内容は不要となるので、消去しても良い。
【００２２】
記録媒体２の記録データは、本来、使用者が記録保存することを意図しないデータである。従って、このデータは管理する必要がり、その為に暗号化することが望まれ、本実施例により、そのような記録が可能になる。
【００２３】
また、記録媒体２の記録データは、記録媒体１の記録画像の編集等に用いられるので、記録媒体１との連携管理が必要である。そのような連携管理の点でも、記録媒体２の暗号化のための鍵情報として、記録媒体１の個別情報を用いることが有用になる。他に、記録媒体２をシステムがバッファ等の為に用いた場合も同様であり、本発明は著作権及びプライバシーの保護に有効となる。
【００２４】
図４は、本実施例の処理フローを示す。ステップＳ４０１で処理フローが開始する。ステップＳ４０２では、記録媒体１の有無を判断する。記憶媒体１があれば、ステップＳ４０３に進み、無ければステップＳ４１０に進みフローを終了する。
【００２５】
ステップＳ４０３では、記憶媒体１から個別情報であるＵＩＤ情報を得て、ステップＳ４０４に進む。ステップＳ４０４では、記録媒体２の有無を判断する。記録媒体２があれば、ステップＳ４０５に進み、無ければ、ステップＳ４１０に進み、フローを終了する。
【００２６】
ステップＳ４０５では、記録モードであるのか再生モードであるのかを判断し、記録モードであれば、ステップＳ４０６に進み、再生モードであれば、ステップ４０８に進む。ステップ４０６では、記録媒体２に記録するデータを暗号化処理するために、そのための鍵情報としてステップＳ４０３で得たＵＩＤ情報を暗号化処理部に設定する。ステップＳ４０７では、記録データを暗号化しながら記録し、ステップＳ４１０でフローを終了する。ステップＳ４０７では、必要であれば、記録媒体１にも、暗号化処理をせずに記録しても良い。
【００２７】
一方、再生モードでステップＳ４０８に進んだ場合、記録媒体２に記録されたデータを復号化処理するために、そのための鍵情報としてステップＳ４０３で得たＵＩＤ情報を復号化処理部に設定する。ステップＳ４０９で、再生データを復号化しながら再生し、ステップＳ４１０でフローを終了する。ステップ４０９では、必要であれば、記録媒体１から、復号化処理をせずに再生しても良い。
【００２８】
以上の一連のフロー処理で、記録媒体１の個別情報を用いて、記録媒体２に暗号化記録または再生復号化することが可能になる。
【００２９】
本実施例では、個別情報として記録媒体のＵＩＤ情報を例示したが、本発明は、これに限定されない。例えば、記録媒体に記録されているファイル又はその内容を暗号化のための鍵情報としても、同様の効果が得られる。また、暗号化で保護する対象は、記録媒体全体でも、ファイル単位、フォルダー単位、コンテンツ単位、及び所定の分類単位の何れであっても良い。さらに、実施例では映像について説明したが、音声であっても同様な効果が得られる。
【実施例２】
【００３０】
図５は、本発明の第２実施例の概略構成ブロック図を示す。５０１は画像信号処理部、５０２は分離合成処理部、５０３は第１の符号化復号化部、５０４は第１の暗号化復号化部、５０５は第1の記録再生制御部、５０６は第1の記録媒体、５０７は第２の符号化復号化器、５０８は第２の暗号化復号化部、５０９は第２の記録再生制御部、５１０は第２の記録媒体である。
【００３１】
まず、記録時の動作を順に説明する。入力ビデオ信号は、画像信号処理部５０１により既知の画像処理を施されて、分離合成処理部５０２に入力する。記録時には分離合成処理部５０２は分離処理部として動作し、入力画像信号を記録媒体５０６に記録すべき画像データと記録媒体５１０に記録すべき画像データとに分離する。分離された画像データは、それぞれ符号化復号化器５０３及び５０７に入力する。符号化復号化器５０３は、記録媒体５０６への記録のための処理を行い、符号化復号化器５０７は記録媒体５１０への記録のための処理を行う。
【００３２】
分離合成処理部５０２は、画像信号を例えば図６に示すように空間周波数で低域成分６０１と高域成分６０２に分離する。このとき、符号化復号化器５０３は、符号化器として動作し、入力画像信号を符号化し、暗号化復号化部５０４に出力する。暗号化復号化部５０４は、記録媒体５１０の固有情報であるＵＩＤを暗号化の鍵情報として使って、入力符号化データを暗号化処理し、記録再生制御部１０３に出力する。記録再生制御部５０３は、入力された暗号化符号化データに記録媒体５０６に記録するための公知の処理をし、記録媒体５０６に記録する。以上の処理により、入力ビデオ信号の低域成分は記録媒体５０６に記録される。
【００３３】
記録再生制御部５０３は、別に、記録媒体５０６に記録されている固有情報であるＵＩＤを記録媒体５０６から取得し、その固有情報ＵＩＤを暗号化復号化部５０８に出力する。
【００３４】
一方、符号化復号化器５０７は符号化器として動作し、入力ビデオ信号の高域成分に符号化処理を施し、暗号化復号化部５０８に出力する。暗号化復号化部５０８は、記録媒体５０６の固有情報であるＵＩＤを暗号化の鍵情報として使用して、入力符号化データ(高域成分)を暗号化し、暗号化符号化データを記録再生制御部５０９に出力する。
【００３５】
記録再生制御部５０９は、入力された暗号化符号化データに記録媒体５１０に記録のための公知の処理を施し、記録媒体５１０に記録する。このような処理により、入力ビデオ信号の高域成分が記録媒体５１０に記録される。
【００３６】
同時に、記録再生制御部５０９は、記録媒体５１０に記録されている固有情報であるＵＩＤを記録媒体５１０から取得し、その固有情報ＵＩＤを暗号化復号化部５０４に出力する。
【００３７】
再生時の動作は、記録時とは逆順の逆の動作で実現されるので、詳細な説明は省略する。なお、再生時には、分離合成処理部５０２は合成処理部として動作し、符号化復号化部５０３，５０７復号化部として動作し、暗号化復号化部５０４，５０８は復号化部として動作する。
【００３８】
本実施例では、記録媒体５０６から画像信号の低域成分を再生でき、記録媒体５１０から画像信号の高域成分を再生できる。記録媒体５０６からの再生データのみを使用することで、低解像度の再生画像信号を出力でき、記録媒体５０６，５１０からの再生データの両方を使用することで、高解像度の再生画像信号を出力できる。
【００３９】
本実施例では、入力ビデオ信号が記録媒体５０６，５１０に分離して記録される。従って、記録内容を保護しようとする場合には、記録媒体５０６に記録する画像データと記録媒体５１０に記録するデータの両方を暗号化するのが好ましい。両方の記録媒体５０６，５１０が無いと、高解像度画像を得ることができないので、連携管理が必要である。この点でも、各記録媒体に記録する情報の暗号化のための鍵情報として、他方の記録媒体の個別情報を用いることで、著作権及びプライバシーの保護に有効となる。
【００４０】
図７を参照して、第２実施例での処理フローを説明する。ステップＳ７０１で処理フローが開始し、ステップＳ７０２では記録媒体５０６の有無を判断する。記憶媒体５０６があればステップＳ７０３に進み、無ければステップＳ７１１に進み、フローを終了する。ステップＳ７０３では、記憶媒体５０６から個別情報であるＵＩＤ１情報を得て、ステップＳ７０４に進む。ステップＳ７０４では、記録媒体５１０の有無を判断する。記録媒体５１０があればステップＳ７０５に進み、無ければステップＳ７１１に進み、フローを終了する。ステップＳ７０５では、記憶媒体５１０から個別情報であるＵＩＤ２情報を得てステップＳ７０６に進む。
【００４１】
ステップＳ７０６では、記録モードであるのか再生モードであるのかを判断し、記録モードであればステップＳ７０７に進み、再生モードであればステップＳ７０９に進む。
【００４２】
ステップＳ７０７では、記録媒体５０６に記録するデータと記録媒体５１０に記録するデータを暗号化処理するための鍵情報として、記録媒体５０６に対してはステップＳ７０５で得たＵＩＤ２を、記録媒体５１０に対してはステップＳ７０３で得たＵＩＤ１を暗号化処理部に設定し、ステップＳ７０８で記録すべきデータを暗号化しながら記録し、ステップＳ７１１でフローを終了する。
【００４３】
再生モードでステップＳ７０９に進んだ場合、記録媒体５０６に記録されたデータと記録媒体５１０に記録されたデータを復号化処理するための鍵情報として、ステップＳ７０３で得たＵＩＤ情報とステップＳ７０５で得たＵＩＤ情報を復号化部に設定し、ステップＳ７１０で、再生データを復号化しながら再生し、ステップＳ７１１でフローを終了する。
【００４４】
これらの一連の処理により、記録媒体５０６と記録媒体５１０の個別情報を用いてお互いの記録媒体に暗号化処理データを記録または再生することが可能となる。
【００４５】
本実施例では、個別情報として記録媒体のＵＩＤ情報を使用する例を説明したが、本発明は、このような例に限定されない。即ち、記録媒体に記録されているファイル又はその内容を鍵情報として使用しても、同様の効果が得られる。また、暗号化で保護する対象は、記録媒体全体でも、ファイル単位、フォルダ単位、コンテンツ単位又は所定の分類単位であっても良い。さらに、本実施例では映像を記録したが、音声であっても、同様な効果が得られる。
【００４６】
記録媒体に記録する画像の分離を低域成分と高域成分に分離する例を説明したが、他の分離手法でも同様の効果が得られる。例えば、ＪＰＥＧ２０００及びＭｏｔｉｏｎＪＰＥＧ２０００に代表される階層符号化が、本発明に適用可能である。
【図面の簡単な説明】
【００４７】
【図１】本発明の第１実施例を概略構成ブロック図である。
【図２】暗号化復号部の概略構成ブロック図である。
【図３】タイムマシン記録の模式図である。
【図４】第１実施例の動作フローチャートである。
【図５】本発明の第２実施例の概略構成ブロック図である。
【図６】階層符号化の分離例の分離特性例である。
【図７】第２実施例の動作フローチャートである。
【符号の説明】
【００４８】
１０１：画像信号処理部
１０２：符号化復号化部
１０３：記録再生制御部
１０４：記録媒体
１０５：暗号化復号化部
１０６：記録再生制御部
１０７：記録媒体
５０１：画像信号処理部
５０２：分離合成処理部
５０３：符号化復号化部
５０４：暗号化復号化部
５０５：記録再生制御部
５０６：記録媒体
５０７：符号化復号化器
５０８：暗号化復号化部
５０９：記録再生制御部
５１０：記録媒体
【図１】
2006040417.tif 000003
【図２】
2006040417.tif 000004
【図３】
2006040417.tif 000005
【図４】
2006040417.tif 000006
【図５】
2006040417.tif 000007
【図６】
2006040417.tif 000008
【図７】
2006040417.tif 000009